(57)【特許請求の範囲】
【請求項１】
前面パネルとファンネルとを有する外囲器と、前記前面パネルの内面に配設される透明電極と、前記外囲器の一端に設けられ、前記透明電極に向けて電子を出射する陰極と、前記透明電極上の複数の画素に対応する領域に一体的に設けられる、膜厚が１μｍ以下の蛍光薄膜とを含むビューファインダ用の陰極線管であって、
前記蛍光薄膜は、マンガン添加チオガレイト系の赤色発光用の薄膜（ＭＧａ２Ｓ４：Ｍｎ，Ｌａ（Ｍ＝Ｃａ，Ｓｒ，Ｂａ））を含む、ビューファインダ用の陰極線管。
【請求項２】
前面パネルとファンネルとを有する外囲器と、前記前面パネルの内面に、複数の画素に対応する領域に一体的に配設される、膜厚が１μｍ以下の蛍光薄膜と、前記蛍光薄膜上に配設され、陽極となる黒色金属薄膜と、前記外囲器の一端に設けられ、前記黒色金属薄膜に向けて電子を出射する陰極とを含むビューファインダ用の陰極線管であって、
前記蛍光薄膜は、マンガン添加チオガレイト系の赤色発光用の薄膜（ＭＧａ２Ｓ４：Ｍｎ，Ｌａ（Ｍ＝Ｃａ，Ｓｒ，Ｂａ））を含む、ビューファインダ用の陰極線管。
【請求項３】
前記マンガン添加チオガレイト系の赤色発光用の薄膜（ＭＧａ２Ｓ４：Ｍｎ，Ｌａ（Ｍ＝Ｃａ，Ｓｒ，Ｂａ））は、ＭＧａ２Ｓ４：Ｃｅ，Ｅｕ，Ｍｎ，Ｌａ（Ｍ＝Ｃａ，Ｓｒ，Ｂａ）で構成される、請求項１又は２に記載のビューファインダ用の陰極線管。
【請求項４】
前記蛍光薄膜は、さらに、緑色発光用のＭＧａ２Ｓ４：Ｅｕ（Ｍ＝Ｃａ，Ｓｒ，Ｂａ）あるいはＥｕＧａ２Ｓ４、及び、青色発光用のＭＧａ２Ｓ４：Ｃｅ（Ｍ＝Ｃａ，Ｓｒ，Ｂａ）を含む、請求項１又は２に記載のビューファインダ用の陰極線管。
【発明の詳細な説明】
【技術分野】
【０００１】
本発明は、高解像度が要求されるカメラのビューファインダ用の陰極線管に関する。
【背景技術】
【０００２】
従来より、家庭用のビデオカメラのビューファインダには液晶ディスプレイが用いられているが、放送用等の業務用のビデオカメラには、対角２インチ程度の小型の陰極線管を用いた白黒表示のビューファインダが用いられている。
【０００３】
業務用のビデオカメラの場合は、家庭用のビデオカメラよりも格段に正確に焦点の合った映像を撮影できなければならないため、静止画はもちろん動画像でも焦点を合わせ易い高解像度のビューファインダが必要になる。
【０００４】
一般的に、カラー表示よりも白黒表示の方が高い解像度を得やすいため、業務用の小型のビューファインダには白黒表示の陰極線管が用いられることが多い。
【０００５】
このような陰極線管に用いられる白黒表示用の蛍光体としては、可視域の全域に亘って線状スペクトルが現れる蛍光体が提案されている（例えば、特許文献１参照）。
【０００６】
また、白黒表示よりも解像度は低下するが、カラー表示を行うことのできる蛍光体スクリーンの作製法が提案されている（例えば、特許文献２参照）。
【０００７】
また、これらとは別に、電子ビームの位置を正確に決めて高精細にするために、ビームインデックスを持つ構造のビューファインダが提案されている（例えば、特許文献３参照）。
【０００８】
さらに、冷陰極では高い電流密度が得られないことから、陰極部分の電子発生に熱陰極を用いて電流密度を向上させた陰極線管がある。このような陰極線管の表示部の蛍光スクリーン部分には、粉末状の蛍光体が用いられている（例えば、特許文献４参照）。
【特許文献１】特開平６−４１５２８号公報
【特許文献２】特開平６−２０６１９号公報
【特許文献３】特開平５−２５１００９号公報
【特許文献４】特開２００３−１５１４６３号公報
【発明の開示】
【発明が解決しようとする課題】
【０００９】
ところで、テレビ放送等で取り扱う映像の精細度は、ＮＴＳＣ／ＶＧＡ形式の標準テレビ放送用の６４０×４８０画素に対し、高精細テレビでは１９２０×１０８０画素と画素数が４倍にまで大幅に増えている。このような高精細テレビ用の映像を撮影する業務用のビデオカメラに用いるビューファインダでは、対角２インチサイズの表示面積内において、１つの画素の大きさは一辺が２１μｍ程度となる。ここで、特許文献４に記載されているような粉末状の蛍光体の粒径が平均２μｍであるとすると、１画素の一辺には約１０個の蛍光体粒子が配列されることになる。
【００１０】
しかしながら、蛍光体の粒径及び形状のばらつきや基板表面に塗布する際の塗布むら等により、蛍光体粒子の配列が均一にならないため、入射光の散乱が生じ、蛍光体の発光スポットが電子ビームのサイズよりも広がる。これにより解像度の低下が生じていた。
【００１１】
さらに、画素数が７６８０×４３２０に増えると、１画素は一辺が５μｍとさらに小さくなり、蛍光体粒子の粒径（平均２μｍ）に近づくため、蛍光体の粒径及び形状への解像度の依存性が高くなり、電子ビームの大きさを小さくしても高解像度は得られなくなる。
【００１２】
このため、電子ビームの大きさを小さくすることに追従して高解像度を確保でき、また、電流密度が小さくても効率よく発光する蛍光体が必要となる。
【００１３】
また、陽極電圧が高くなると二次電子が発生し、電子ビームが蛍光体に入射するときに入射エリア周辺も発光して解像度が低下するため、陽極の加速電圧はできるだけ低い方が都合がよいという要求もある。
【００１４】
ところが、従来の粉末状の蛍光体は帯電し易いため、１０ｋＶ以上の加速電圧でないと輝度が取れず、本来の発光性能を発揮できない。
【００１５】
このため、特許文献１で提案された線状のスペクトルを用いても、光の干渉が生じやすく、白色発光に色がにじむことが懸念され、表示品質の低下が課題となっていた。
【００１６】
そこで、本発明は、比較的低い加速電圧で発光し、高解像度を得ることができる蛍光薄膜を用いたビューファインダ用の陰極線管を提供することを目的とする。
【課題を解決するための手段】
【００１７】
本発明の一局面のビューファインダ用の陰極線管は、前面パネルとファンネルとを有する外囲器と、前記前面パネルの内面に配設される透明電極と、前記外囲器の一端に設けられ、前記透明電極に向けて電子を出射する陰極と、前記透明電極上の複数の画素に対応する領域に一体的に設けられる、膜厚が１μｍ以下の蛍光薄膜とを含むビューファインダ用の陰極線管であって、前記蛍光薄膜は、マンガン添加チオガレイト系の赤色発光用の薄膜（ＭＧａ２Ｓ４：Ｍｎ，Ｌａ（Ｍ＝Ｃａ，Ｓｒ，Ｂａ））を含む。
【００１８】
本発明の他の局面のビューファインダ用の陰極線管は、前面パネルとファンネルとを有する外囲器と、前記前面パネルの内面に、複数の画素に対応する領域に一体的に配設される、膜厚が１μｍ以下の蛍光薄膜と、前記蛍光薄膜上に配設され、陽極となる黒色金属薄膜と、前記外囲器の一端に設けられ、前記黒色金属薄膜に向けて電子を出射する陰極とを含むビューファインダ用の陰極線管であって、前記蛍光薄膜は、マンガン添加チオガレイト系の赤色発光用の薄膜（ＭＧａ２Ｓ４：Ｍｎ，Ｌａ（Ｍ＝Ｃａ，Ｓｒ，Ｂａ））を含む。
【００１９】
また、前記ＭＧａ２Ｓ４：Ｍｎ，Ｌａ（Ｍ＝Ｃａ，Ｓｒ，Ｂａ）系薄膜は、ＭＧａ２Ｓ４：Ｃｅ，Ｅｕ，Ｍｎ，Ｌａ（Ｍ＝Ｃａ，Ｓｒ，Ｂａ）で構成されてもよい。
【００２０】
これに代えて、前記蛍光薄膜は、さらに、緑色発光用のＭＧａ２Ｓ４：Ｅｕ（Ｍ＝Ｃａ，Ｓｒ，Ｂａ）あるいはＥｕＧａ２Ｓ４、及び、青色発光用のＭＧａ２Ｓ４：Ｃｅ（Ｍ＝Ｃａ，Ｓｒ，Ｂａ）を含んでもよい。
【発明の効果】
【００２１】
本発明によれば、比較的低い加速電圧で発光し、高解像度を得ることができる蛍光薄膜を用いたビューファインダ用の陰極線管を提供できるという特有の効果が得られる。
【発明を実施するための最良の形態】
【００２２】
以下、本発明のビューファインダ用の陰極線管を適用した実施の形態について説明する。
【００２３】
図１は、本実施の形態のビューファインダ用の陰極線管を示す断面図である。陰極線管１は、ファンネル部２ａ及びネック部２ｂを有する外囲器２、ネック部２ｂに設けられる陰極３、陰極３の先端近傍に設けられる走査用電子レンズ４、外囲器２のファンネル部２ａの外側に配設される偏向ヨーク５、及び、陰極３に対向するように外囲器２に取り付けられるフェースプレート６を備える。
【００２４】
「各部の構成」
外囲器２は、ファンネル部２ａ及びネック部２ｂを有する断面円筒型のガラス管であり、一端側に陰極３が封止されるとともに、他端側にガラス製のフェースプレート６が封止され、内部は真空に保持されている。
【００２５】
陰極３は、電子銃で構成される。この陰極３は熱陰極であり、加熱されることにより電子を放出する。放出された電子は、フェースプレート６側の陽極との間の電位差によって加速され、電子ビーム３ａとして陽極に到達する。なお、本実施の形態の陰極線管では、陽極に５ｋＶの電圧を外部電源から印加する。
【００２６】
走査用電子レンズ４は、平行平板電極で構成される電子レンズであり、外部電源より電圧が印加されることにより、陰極３から出射される電子ビーム３ａをスポット状に集束させる。
【００２７】
偏向ヨーク５は、外部電源から供給される電圧によって偏向磁界を発生させ、電子ビーム３ａを偏向させる。
【００２８】
フェースプレート６は、前面パネルとして機能する対角２インチのガラス基板であり、真空空間側に透明電極７、蛍光薄膜８及び黒色金属薄膜９が積層されている。
【００２９】
透明電極７は、例えば、フェースプレート６の上に形成されたＩＴＯ膜で構成される。この透明電極７は、陰極３に対向する陽極として機能する。陰極３から出射される電子ビーム３ａは、この透明電極７に照射される。
【００３０】
蛍光薄膜８は、マンガン添加チオガレイト系の薄膜（ＭＧａ２Ｓ４：Ｍｎ（Ｍ＝Ｃａ，Ｓｒ，Ｂａ））を含む蛍光薄膜であり、ＭとしてはＣａ，Ｓｒ，又はＢａの少なくともいずれか１つを含むように構成される。本実施の形態では、白黒表示用の蛍光薄膜８としてセリウム、ユウロビウム、マンガン添加ストロンチウムチオガレイト（ＳｒＧａ２Ｓ４：Ｃｅ，Ｅｕ、Ｍｎ）を形成する。
【００３１】
黒色金属薄膜９は、ブラックマトリクスとして用いられる金属膜であり、例えば、二酸化マンガン（ＭｎＯ２）で構成される黒色薄膜であり、膜厚は０．１μｍである。
【００３２】
「蛍光スクリーンの作製方法」
ここで、フェースプレート６、透明電極７、蛍光薄膜８、及び黒色金属薄膜９を含む蛍光スクリーンの作製方法について説明する。
【００３３】
対角２インチのガラス基板であるフェースプレート６の片面に透明電極７を形成する。透明電極７の材料としては、錫添加酸化インジウム、Ａｌ添加酸化亜鉛、酸化錫等を用いる。この透明電極７は、スパッタ法により膜厚０．２μｍ程度に形成される。なお、作製方法は、スパッタ法に限られず、蒸着法、スプレイ法、ＣＶＤ（Chemical  Vapor  Deposition）法等でもよい。この透明電極７は陽極電極として用いられる。
【００３４】
次いで、透明電極７の上に白黒表示用の蛍光薄膜８としてマンガン添加チオガレイト系の薄膜ＭＧａ２Ｓ４：Ｍｎ（Ｍ＝Ｃａ，Ｓｒ，Ｂａ）であるセリウム、ユウロビウム、マンガン添加ストロンチウムチオガレイト（ＳｒＧａ２Ｓ４：Ｃｅ，Ｅｕ、Ｍｎ）を形成する。この場合、ユウロビウム（Ｅｕ）の濃度はマンガン（Ｍｎ）濃度の１／１００程度、セリウム（Ｃｅ）濃度はマンガン（Ｍｎ）濃度の１／１０程度とする。この膜の形成は、Ｓｒ，Ｇａ２Ｓ３、Ｃｅ金属あるいはその化合物、Ｅｕ金属あるいはその化合物、Ｍｎ金属あるいはその化合物を蒸発原料に用いた多源蒸着法で行う。
【００３５】
なお、ここでは、セリウム、ユウロビウム、マンガン添加ストロンチウムチオガレイト（ＳｒＧａ２Ｓ４：Ｃｅ，Ｅｕ、Ｍｎ）を形成する場合について説明するが、蛍光薄膜用のＭＧａ２Ｓ４：Ｍｎ（Ｍ＝Ｃａ，Ｓｒ，Ｂａ）系薄膜としては、ＭＧａ２Ｓ４：Ｃｅ，Ｅｕ，Ｍｎ（Ｍ＝Ｃａ，Ｓｒ，Ｂａ）の組成式で表される蛍光薄膜であればＣａ，Ｓｒ，又はＢａを任意の比率で含んでよい。
【００３６】
セリウム、ユウロビウム、マンガン添加ストロンチウムチオガレイト（ＳｒＧａ２Ｓ４：Ｃｅ，Ｅｕ、Ｍｎ）を構成する各原料を同時に蒸発させて透明電極７上に堆積させる。フェースプレート６及び透明電極７の温度を室温から６００℃の間の最適な温度に設定し、成膜後は真空中あるいは硫化水素を５％程度混合させた不活性ガス中でフェースプレート６及び透明電極７の耐熱温度以下で数分ないし１時間程度熱処理を行い、結晶の成長と発光中心の形成の促進を行う。この白色発光の色座標はｘ＝０．３６、ｙ＝０．３４であった。
【００３７】
なお、従来の粉末状の蛍光体とは異なり、蛍光薄膜８の表面は、膜厚の分布が数％以下と極めて凹凸が少なく平滑であるため、黒色金属薄膜で十分にコートできる。
【００３８】
「黒色金属薄膜９の作製方法」
コントラストを高めるため、電子ビーム蒸着法により、蛍光薄膜８の上に黒色金属薄膜９として二酸化マンガン薄膜を０．１μｍ〜０．２μｍの膜厚で形成する。ここで、膜厚を０．１μｍ以上にするのは、０．１μｍ未満の膜厚になると、陰極３の熱フィラメントの発光が透過して表示映像に混じって見づらくなるからである。また、膜厚を０．２μｍ以下にするのは、あまり膜厚が厚くなると電子ビームの透過率が低下し、輝度が低下するからである。
【００３９】
なお、二酸化マンガン薄膜はスパッタ法によって形成してもよい。また、黒色金属薄膜９としては、二酸化マンガン薄膜の代わりに、カーボン薄膜を用いてもよい。カーボン薄膜は、二酸化マンガン薄膜と同様に、電子ビーム蒸着法又はスパッタ法で形成することができる。また、黒色金属薄膜９の代わりにアルミニウム（Ａｌ）薄膜を用いてもよい。アルミニウム薄膜は、蒸着法によって形成することができる。アルミニウム薄膜は、光が透過せず、電子ビームが透過するように、膜厚が０．１μｍ程度のメタルバッグとして形成すればよい。
【００４０】
また、粉末状の蛍光体を用いた蛍光スクリーンでは、その表面の凹凸が蛍光体粒子の大きさ以上になることもあり、段差のある部分は黒色金属薄膜で被覆できなかったが、本実施の形態では、膜厚の分布が数％以下と極めて凹凸が少なく平滑であるため、蛍光薄膜８の全面に黒色金属薄膜を十分に被覆することができる。
【００４１】
図２は、蛍光薄膜８の発光スペクトルを示す分布図である。このように、本実施の形態のビューファインダ用の陰極線管では、発光スペクトルは光の干渉が生じにくい幅広い特性が得られた。
【００４２】
次に、本実施の形態のビューファインダ用の陰極線管に用いている蛍光薄膜と、従来の陰極線管に用いられている蛍光体（粉末状の蛍光体粒子）への入射光とビームスポットの大きさについて説明する。
【００４３】
図３は、蛍光スクリーンへの入射光とビームスポットの大きさを示す図であり、（ａ）は本実施の形態の蛍光薄膜における入射光とビームスポットの大きさ、（ｂ）は従来の蛍光体（粉末状の蛍光体粒子）における入射光とビームスポットの大きさを示す図である。なお、ここでは、入射光の光路を説明するため、図３には黒色金属薄膜９を省いた蛍光スクリーンの断面を示す。
【００４４】
図３（ａ）に示すように、電子が蛍光薄膜８の蛍光材料に衝突することによって光が出射され、この光は蛍光薄膜８の内面（フェースプレート６側の内面、又は、電子が入射する側の内面）に入射する。
【００４５】
ここで、例えば、蛍光薄膜の屈折率が２．０である場合には、蛍光薄膜８の内面に３０度以上の入射角で入射する光は全反射されて蛍光薄膜８の内部に閉じこめられ、蛍光薄膜８の外部に出射しない。このため、フェースプレート６に生じるビームスポットは、フェースプレート６側の内面への入射角が３０度未満の光によってもたらされるビームスポットとなる。
【００４６】
一方、図３（ｂ）に示す従来の蛍光体は粉末状の蛍光体の集合であるため、表面に凹凸が存在する。このため、電子が蛍光体に衝突して光は出射されても、蛍光体によって散乱が生じ、様々な角度でフェースプレート６に入射し、ビームスポットが広がる。これにより従来の蛍光体では映像のにじみが生じやすくなり解像度が低下する。
【００４７】
このように、本実施の形態のビューファインダ用の陰極線管によれば、従来の粉末状の蛍光粒子を用いた陰極線管に比べて遙かに電子ビームの形状を忠実に反映させたビームスポットを確保でき、解像度を向上させることができる。
【００４８】
また、蛍光材料は絶縁体であるため電子ビームによって負に帯電されるが、蛍光薄膜８は膜厚が１μｍ以下と従来の蛍光体の粉末粒子よりも薄いため、従来の蛍光体よりも帯電しにくい。このため、負に帯電した蛍光材料と電子ビームとの反発も低減され、従来よりも励起効率の低下を軽減できる。
【００４９】
また、従来の粉末状の蛍光体では、発光効率を向上させるために電子の加速電圧を１０ｋＶ以上にしていたが、このような高電圧で入射した電子ビームからは二次電子が発生し、二次電子のバックスキャッタリングが多く生じる。このバックスキャッタリングが発生すると電子ビームが照射されている範囲だけでなく、その周囲も発光する現象が発生するため、解像度の低下を招いていた。
【００５０】
これに対して本実施の形態の蛍光薄膜８は、セリウム、ユウロビウム、マンガン添加ストロンチウムチオガレイト（ＳｒＧａ２Ｓ４：Ｃｅ，Ｅｕ、Ｍｎ）で構成されているため、５ｋＶ程度の加速電圧で発光することが可能であるため、バックスキャッタリングも低減され、解像度の低下を抑制することができる。
【００５１】
また、陽極としての透明電極７に印加する電圧を５ｋＶに抑えることができるため、従来よりも製造コストを抑えることができる。従来のように、輝度低下を軽減するために陽極電圧をより高い１０ｋＶに設定すると、高耐電圧用の対策等による構造の複雑化や製造工程の増加等によって製造コストが嵩んでいたが、本実施の形態の蛍光薄膜８は、５ｋＶの加速電圧で発光させることができるため、製造コストの低減が可能になった。
【００５２】
また、本実施の形態の蛍光薄膜８は、膜厚が薄く、バンドギャップも４（ｅＶ）以上と大きいため透明である。また、本実施の形態の蛍光薄膜８は、量子効率が１程度と非常に高い。このため、十分な効率と輝度が得られ、ビューファインダに必要な画面輝度２００ｃｄ／ｍ２以上を確保できる。
【００５３】
以上、本実施の形態のビューファインダ用の陰極線管によれば、比較的低い加速電圧で発光し、高解像度を得ることができる蛍光薄膜を用いたビューファインダ用の陰極線管を提供することができる。
【００５４】
「変形例１」
蛍光薄膜８としてカラー表示用の蛍光薄膜を形成する場合は、マンガン添加チオガレイト系の薄膜（ＭＧａ２Ｓ４：Ｍｎ（Ｍ＝Ｃａ，Ｓｒ，Ｂａ），Ｌａ）（Ｌａは増感剤）を含む蛍光薄膜として、赤色発光用のＭＧａ２Ｓ４：Ｍｎ，Ｌａ（Ｍ＝Ｃａ，Ｓｒ，Ｂａ）、緑色発光用のＭＧａ２Ｓ４：Ｅｕ（Ｍ＝Ｃａ，Ｓｒ，Ｂａ）あるいはＥｕＧａ２Ｓ４、及び、青色発光用のＭＧａ２Ｓ４：Ｃｅ（Ｍ＝Ｃａ，Ｓｒ，Ｂａ）を乾式のフォトリソグラフィー法によってパターン化すればよい。配列パターンは、三角形状、格子状、又はストライプ状等の任意かつ周知の配列パターンであればよい。
【００５５】
例えば、青色発光用にＭＧａ２Ｓ４：Ｃｅ，緑色発光用にＭＧａ２Ｓ４：ＥｕあるいはＥｕＧａ２Ｓ４，赤色発光用にＭＧａ２Ｓ４：Ｍｎ，Ｌａ蛍光体（Ｍ＝Ｃａ，Ｓｒ，Ｂａ）を形成する場合は、３つのうちのいずれかひとつの蛍光薄膜を蒸着法によって成膜し、その上にレジストを塗布し、ＲＩＥ（Reactive  Ion  Etching）法により必要なピッチでエッチングを行う。レジストはエッチング後にアッシングによって除去すればよい。蛍光薄膜８は、以上のようにＲＩＥ法を用いた乾式のフォトリソグラフィー法によって作製できるため、粉末蛍光体よりも精度よく加工できる。
【００５６】
他の色用の蛍光薄膜についても透明電極７上での位置を変えて、隣同士のストライプ間を僅かに空けておくと、後に形成する黒色薄膜９が埋められることにより、ブラックマトリックスを形成することができる。これにより、コントラストが高くなる。このように形成したカラー表示用の陰極線管における青、緑、赤の色座標は、それぞれ、ｘ＝０．１５、ｙ＝０．１０、ｘ＝０．２６、ｙ＝０．６９、ｘ＝０．７０、ｙ＝０．２９が得られた。
【００５７】
図４は、青色発光用のＭＧａ２Ｓ４：Ｃｅ蛍光薄膜の量子効率を示す特性図である。この図に示すように、加速電圧を５ｋＶに達したところで量子効率（電子数に対するフォトン数の比）は略１．０程度と極めて高い値が得られた。このように、高い発光効率が得られるのは、電子ビーム３ａによって形成された電子−正孔対による発光中心の励起機構と、電子ビーム３ａによる発光中心の直接励起機構とが存在するためである。
【００５８】
「変形例２」
図５は、本実施の形態の変形例２として蛍光スクリーンの構造の変形例を示す図である。図５（ａ）は、図１に示す構造と同一の蛍光スクリーンを示し、（ｂ）及び（ｃ）は図１に示す蛍光スクリーンの変形例を示す。
【００５９】
図５（ｂ）に示す蛍光スクリーンは、黒色金属薄膜９を含まない。このように、黒色金属薄膜９を含まない構成であっても、比較的低い加速電圧で発光し、高解像度を得ることができる蛍光薄膜を用いたビューファインダ用の陰極線管を提供することができる。
【００６０】
また、図５（ｃ）に示す傾向スクリーンは、透明電極７を含まず、フェースプレート６の上に蛍光薄膜８が形成され、蛍光薄膜８の上に黒色金属薄膜９が形成されている。透明電極を含まないため、黒色金属薄膜９が陽極となり、この黒色金属薄膜９に５ｋＶの電圧が印加されることにより、陰極３から放出された電子が黒色金属薄膜９を通じて蛍光膜膜８に到達し、蛍光薄膜８で生じた光がフェースプレート６に入射することによって所望の表示が得られる。このように、透明電極７を含まない構成であっても、比較的低い加速電圧で発光し、高解像度を得ることができる蛍光薄膜を用いたビューファインダ用の陰極線管を提供することができる。
【００６１】
以上、本発明の例示的な実施の形態のビューファインダ用の陰極線管について説明したが、本発明は、具体的に開示された実施の形態に限定されるものではなく、特許請求の範囲から逸脱することなく、種々の変形や変更が可能である。
【図面の簡単な説明】
【００６２】
【図１】本実施の形態のビューファインダ用の陰極線管を示す断面図である。
【図２】蛍光薄膜８の発光スペクトルを示す分布図である。
【図３】蛍光スクリーンへの入射光とビームスポットの大きさを示す図であり、（ａ）は本実施の形態の蛍光薄膜における入射光とビームスポットの大きさ、（ｂ）は従来の蛍光体（粉末状の蛍光体粒子）における入射光とビームスポットの大きさを示す図である。
【図４】図４は、青色発光用のＭＧａ２Ｓ４：Ｃｅ蛍光薄膜の量子効率を示す特性図である。
【図５】本実施の形態の変形例２の蛍光スクリーンの構造を示す図である。
【符号の説明】
【００６３】
１  陰極線管
２  外囲器
２ａ  ファンネル部
２ｂ  ネック部
３  陰極
３ａ  電子ビーム
４  走査用電子レンズ
５  偏向ヨーク
６  フェースプレート
７  透明電極
８  蛍光薄膜
９  黒色金属薄膜
【図１】
0005503105.tif 000002
【図２】
0005503105.tif 000003
【図３】
0005503105.tif 000004
【図４】
0005503105.tif 000005
【図５】
0005503105.tif 000006